(57)【特許請求の範囲】
【請求項１】
複数枚のシート類を綴じるため、前記シート類の一端部に設けられた複数の貫通孔に挿入可能なファイリング用具において、
前記貫通孔に挿入するため一定以上の弾性を有する材料によって開放可能に形成された複数の帯状リング部材と、
これらの複数の帯状リング部材の一端部に形成され、前記帯状リング部材を前記貫通孔に挿入可能な状態で連結する連結部材と、
この連結部材に設けられた係止孔と、
この係止孔に係止するため、前記帯状リング部材にコ字状の切り込みを設けることで帯状リング部材の先端部分に形成された舌片と、を備え、
この舌片は、前記帯状リング部材の裏面側に突出するように折り曲げられ、前記帯状リングの先端部分が前記係止孔に挿入されたとき、前記係止孔の端縁に係止することを特徴とするファイリング用具。
【請求項２】
複数枚のシート類を綴じるため、前記シート類の一端部に設けられた複数の貫通孔に挿入可能なファイリング用具において、
前記貫通孔に挿入するため一定以上の弾性を有する材料によって開放可能に形成された複数の帯状リング部材と、
これらの複数の帯状リング部材の一端部に形成され、前記帯状リング部材を前記貫通孔に挿入可能な状態で連結する連結部材と、
この連結部材に設けられ、かつ突起を備えた係止孔と、を備え、
前記帯状リング部材の先端部分には、前記係止孔に設けた突起に係止する開口が形成されたことを特徴とするファイリング用具。
【請求項３】
前記帯状リング部材がバルカナイズド紙によって形成されていることを特徴とする請求項１又は２に記載のファイリング用具。
【発明の詳細な説明】
【０００１】
【発明の属する技術分野】
本発明は、ファイリング用具に関し、更に詳細には、製本などに好適なファイリング用具に関する。
【０００２】
【従来の技術】
比較的厚い本などを製本する場合、各種のファイリング用具が用いられている。このようなファイリング用具の一種として、複数の開閉可能なリング状部材を一列に連結したものが知られている。
【０００３】
図１８は、従来のリング状部材を用いたファイリング用具７を示す。このファイリング用具７は、金属など剛性の高い材料で形成された複数のリング状部材７１が連結部材７２で連結されている。連結部材７２は、断面が円形状のものや、平板状のものも使用されている。
【０００４】
各半円状部材７３，７４の他端部には、図１９にも示すように、それぞれ例えば矢尻状の係止用突起７５と、この係止用突起７５を挿入して係止するための係止孔７６が設けられている。
【０００５】
一方、図１８に示すように、ファイリングすべき対象物、例えば本７７には、その端部にリング状部材７１同士の間隔と同一の間隔で複数の貫通孔７８が設けられている。そして、ファイリング用具７の各リング状部材７１を開いて本７７の貫通孔７８に挿入した後、係止用突起７５を係止孔７６に挿入して係止することにより、本７７を製本できる。
【０００６】
【発明が解決しようとする課題】
しかしながら、従来のファイリング用具７は、半円状部材７３，７４の先端に設けられた係止用突起７５と係止孔７６とが比較的小さいので、作業が面倒であり、また、一旦挿入されると、取り外すのが困難であった。
【０００７】
また、リング状部材７１の中間部分に凹凸のある連結部材７２が設けられており、リング状部材７１を本７７の貫通孔７２に出し入れするときに、連結部材７２が引っかかり、出し入れがしにくくなるという問題があった。
【０００８】
更に、リング状部材７１及び連結部材７２は、主として金属で形成されていたので、本７７を廃棄する場合に、ファイリング用具７も一緒に廃棄することはできなかった。そのため、いちいちファイリング用具７を取り外さなければならないので、手間がかかるという問題があった。
【０００９】
そこで、本発明は、ファイリングされたものと一緒に廃棄することが可能であると共に、ファイリング及び取り外しが容易なファイリング用具を提供することを目的とする。
【００１０】
【課題を解決するための手段】
複数枚のシート類を綴じるため、前記シート類の一端部に設けられた複数の貫通孔に挿入可能なファイリング用具において、
前記貫通孔に挿入するため一定以上の弾性を有する材料によって開放可能に形成された複数の帯状リング部材と、
これらの複数の帯状リング部材の一端部に形成され、前記帯状リング部材を前記貫通孔に挿入可能な状態で連結する連結部材と、
この連結部材に設けられた係止孔と、
この係止孔に係止するため、前記帯状リング部材にコ字状の切り込みを設けることで帯状リング部材の先端部分に形成された舌片と、を備え、
この舌片は、前記帯状リング部材の裏面側に突出するように折り曲げられ、前記帯状リングの先端部分が前記係止孔に挿入されたとき、前記係止孔の端縁に係止することを特徴とする。
また、複数枚のシート類を綴じるため、前記シート類の一端部に設けられた複数の貫通孔に挿入可能なファイリング用具において、
前記貫通孔に挿入するため一定以上の弾性を有する材料によって開放可能に形成された複数の帯状リング部材と、
これらの複数の帯状リング部材の一端部に形成され、前記帯状リング部材を前記貫通孔に挿入可能な状態で連結する連結部材と、
この連結部材に設けられ、かつ突起を備えた係止孔と、を備え、
前記帯状リング部材の先端部分には、前記係止孔に設けた突起に係止する開口が形成されたことを特徴とする。
前記帯状リング部材は、バルカナイズド紙によって形成することができる。
【００１１】
次に、各部の構成を説明する。
（帯状リング部材）
帯状リング部材の一箇所を切断して開放可能とし、シート類に設けられた貫通孔に出し入れできるようにする。この帯状リング部材は、一定以上の弾性を有する紙材や、樹脂などで形成できる。
（連結部材）
帯状リング部材の任意の部分を連結することができる。
（係止孔）
係止孔は帯状リング部材の片端部を挿入可能な大きさとし、その形状は係止手段に応じて適宜設定することができる。
（係止手段）
係止孔に係止できれば任意の形状にすることができる。例えば、係止孔の側端縁に係止可能な凹溝、係止孔内に設けられた突起に係止可能な開口、係止孔の端縁に係止可能な舌片などを用いることができる。
【００１２】
このファイリング用具は、全体をバルカナイズド紙によって形成することができる。
【００１３】
【発明の実施の形態】
以下、本発明に係るファイリング用具の実施の形態について、図面を参照して詳細に説明する。
（第１実施形態）
図１は、本発明の第１実施形態のファイリング用具１を示す。このファイリング用具１は、複数枚のシート類１０を綴じるときに使用するものであり、図１はファイリング用具１を開いた状態を示している。
【００１４】
このファイリング用具１は、一定以上の弾性を有する材料によって開放可能に一体形成された複数の帯状リング部材１１と、これらの複数の帯状リング部材１１を、シート類１０の端部に一列に設けられた複数の細長い貫通孔１２にそれぞれ挿入可能な状態で連結する連結部材１３とを備えている。
【００１５】
連結部材１３は帯状リング部材１１の任意の位置を連結できるが、ここでは、帯状リング部材１１の片端部を連結している。したがって、図１では、長尺な連結部材１３に帯状リング部材１１を設けたようになっている。この連結部材１３と帯状リング部材１１は、一体的に形成されている。
【００１６】
これらの帯状リング部材１１及び連結部材１３は、本実施の形態では、一定以上の弾性を有する適宜な厚さの紙材で形成されている。このように一定以上の弾性を有する紙材としては、例えばバルカナイズド紙などがある。
【００１７】
このバルカナイズド紙は、パルプや綿を原料とした紙を任意の厚さに積層させ、塩化亜鉛溶液中を通過させ、水洗い、乾燥工程を経て製造された特殊紙である。積層間の接着は塩化亜鉛による繊維の潤滑作用を利用して自己接着させるため、バインダー等は一切使用せず、繊維間が強固に接着した層間がないと同様な厚紙を製造することができる。厚さは、積層枚数により０．２ｍｍ〜２．４ｍｍ程度のものがある。
【００１８】
また、このバルカナイズド紙は、天然セルロースを原料としており、一般紙と同様な燃焼カロリー（４，６００ｋｃａｌ）、灰分（Ｎ０．３〜０．５％）で燃焼させることができ、燃焼の際に有害ガスの発生も少ない。更に、バルカナイズド紙の主成分である変性セルロースは、微生物により容易に分解されて土に戻るものである。
【００１９】
このバルカナイズド紙を使用することによって、例えば本の製本などにファイリング用具を使用した場合には、本の廃棄時にファイリング用具１を取り外すことなく、本とファイリング用具１を一緒に廃棄して焼却することができ、手間を省くことができると共に、環境的にも有利になる。
【００２０】
上述の帯状リング部材１１は、図１に示すように、そのままでは僅かに開放された状態で形状を保持するように形成されている。また、帯状リング部材１１の片端部、ここでは、連結部材１３には、帯状リング部材１１に対応させて、例えば４角形の係止孔１４が設けられている。この係止孔１４は、帯状リング部材１１の先端部分を容易に挿入可能な大きさになっている。
【００２１】
連結部材１３は、図２（Ａ）に示すように、断面が湾曲状に形成されている。これによって、後述のように帯状リング部材１１の先端部分を係止したときに、係止力を強くすることができる。連結部材１３は、同図（Ｂ）に示すように、波状に形成することもできる。
【００２２】
帯状リング部材１１の先端部分の側端縁には、図３にも示すように、係止手段として比較的小さな４角形の凹溝１５が設けられている。各帯状リング部材１１の凹溝１５は、図１に示すように、一個毎に反対向きにしたり、或いは全て同一向きにするなど、任意の向きにすることができる。
【００２３】
このファイリング用具１を用いて複数のシート類１０をファイリングするときは、図１に示すように、全ての帯状リング部材１１，１１・・・を開いて、その先端部分をシート類１０の貫通孔１２，１２・・・に挿入する。
【００２４】
次に、図４に示すように、各帯状リング部材１１の先端部分を連結部材１３の係止孔１４に挿入し、凹溝１５を係止孔１４の側端縁に嵌め込む。このとき、帯状リング部材１１の先端部分が、弾性によって係止孔１４の係止しようとする側端縁側に付勢されるようにしておく。
【００２５】
次に、帯状リング部材１１に加えていた押し込み力を取り除くと、図５に示すように、帯状リング部材１１が弾性復元力Ｆによって開放方向に付勢され、凹溝１５が係止孔１４の隅部に係止される。同様にして、図６に示すように、全ての帯状リング部材１１の凹溝１５を、係止孔１４に係止させることによって、複数枚のシート類１０を確実にファイリングすることができる。
【００２６】
このように、本発明のファイリング用具１は、帯状リング部材１１の片端部、ここでは連結部材１３に設けられた比較的大きな係止孔１４に、帯状リング部材１１の他端部を挿入して、その先端部分に設けられた凹溝１５を係止孔１４の側端縁に嵌め込んで係止するだけでファイリングできるので、ファイリング作業が容易になると共に、取り外しも容易になる。
【００２７】
また、帯状リング部材１１は一体ものであり、貫通孔１２に挿入する部分には凹凸がないので、貫通孔１２に出し入れするときに引っかかるようなことがなくなる。
【００２８】
更に、帯状リング部材１１及び連結部材１３を一定以上の弾性を有する材料、本実施の形態では一定以上の弾性を有する紙材、例えばバルカナイズド紙で形成したので、ファイリング用具１を焼却することも可能である。そのため、上述のようにシート類１０を廃棄する場合には、ファイリング用具１を取り外すことなく、そのままの状態で廃棄することができるので、手間を省くことができる。
【００２９】
なお、上述の実施の形態では、図６に示したように、連結部材１３がシート類１０の厚さより相当小さく、しかもシート類１０から大きく離れているが、図７に示すファイリング用具２のように、幅の広い連結部材１６で帯状リング部材１１を連結することもできる。帯状リング部材１１、係止孔１４、及び凹溝１５は、上述のファイリング用具１と同様である。
【００３０】
このファイリング用具２は、図８に示すように、例えば本１７を製本する場合などに好適であり、連結部材１６によって本１７の端部を全体的に覆うようにすることができる。この場合には、連結部材１６を本１７の背表紙として使用することができ、連結部材１６には本１７の題名などを記入することもできる。
【００３１】
また、上述の実施の形態では、凹溝１５を帯状リング部材１１の片側にのみ設けたが、図９に示すように、帯状リング部材１１の両側に凹溝１５を設けることもできる。
【００３２】
更に、係止手段としては、凹溝１５に代えて、図１０（Ａ）に示すように、リング状部材１１の先端を上側又は下側、ここでは上側に折り曲げて突起１８を設け、この突起１８を係止孔１４の端縁に係止させることもできる。この場合には、図１０（Ｂ）に示すように、係止孔１４の片側半分１４ａの幅を広くし、残りの半分１４ｂの幅を狭くして突起１８の厚さとほぼ同一にすることができる。
【００３３】
そして、帯状リング部材１１を係止孔１４に出し入れする場合には、幅の広い部分１４ａを使用し、係止する場合は幅の狭い部分１４ｂを使用することができる。これによって、取り扱いが容易になると共に、係止を確実にすることができる。
【００３４】
帯状リング部材１１の係止孔１４及び係止手段である凹溝１５は、上述した形状以外に、図１１（Ａ）〜（Ｃ）に示すように、各種の形状とすることができる。すなわち、同図（Ａ）は係止孔１４が台形で凹溝１５が半円形であり、同図（Ｂ）は係止孔１４が横向きの台形で凹溝１５が鈎型であり、同図（Ｃ）は係止孔１４が凸字状で凹溝１５が角形である。これらの係止孔１４は、凹溝１５を係止する部分を小さくすることによって、凹溝１５を確実に係止させるようにしたものである。
【００３５】
上述のファイリング用具１は、帯状リング部材１１の片端部を連結部材１３で連結し、この連結部材１３に係止孔１４を設けたが、図１２（Ａ），（Ｂ）に示すファイリング用具３，４のように、帯状リング部材１１の片端部より少し内側を連結部材１９，２０で連結し、帯状リング部材１１の片端部に係止孔として凹溝２１を設け、他端部に係止手段として凹溝１５を設けることができる。この場合には、凹溝１５，２１をそれぞれ反対向きにして係止させる。
【００３６】
また、上述の実施形態では、シート類１０や本１７の全ての貫通孔１２に対応させて帯状リング部材１１を設けたが、複数の貫通孔１２のうちの一部分、例えば両端の２個の貫通孔１２や、両端と中央の３個の貫通孔１２にだけ対応させて帯状リング部材１１を設けることもできる。
【００３７】
（第２実施形態）
図１３は、本発明の第２実施形態のファイリング用具５を示す。このファイリング用具５は、帯状リング部材１１の片端部、本実施の形態では、連結部材１３に係止孔５１を設けると共に、係止孔５１に突起５２を設ける。また、帯状リング部材１１の他端部に係止手段である開口５３を設け、係止孔５１内の突起５２に開口５３を係止するようにしたものである。
【００３８】
この場合、図１４（Ａ），（Ｂ）に示すように、連結部材１３又は帯状リング部材１１の先端部分を内側又は外側に適宜な角度で折り曲げることによって、突起５２と開口５３を確実に係止させることができる。
【００３９】
なお、突起５２及び開口５３の形状は任意に設定できる。例えば、図１５に示すように、突起５２を半円形とし、開口５３を円形とすることもできる。
（第３実施形態）
図１６は、第３実施形態のファイリング用具６を示す。このファイリング用具６は、帯状リング部材１１の片端部、ここでは連結部材１３に係止孔１４を設け、帯状リング部材１１の他端部に係止手段として舌片６１を設けたものである。舌片６１は、帯状リング部材１１に例えばコの字状の切り込み６２を設けることによって形成できる。
【００４０】
このファイリング用具６は、図１７に示すように、帯状リング部材１１の先端部分を連結部材１３の例えば上側から係止孔１４に挿入し、帯状リング部材１１を引き戻して舌片６１を連結部材１３の下側に差し込むことにより、舌片６１を係止させることができる。
【００４１】
なお、このファイリング用具６も、帯状リング部材１１の先端部分又は連結部材１３を内側又は外側に適宜な角度で折り曲げることによって、舌片６１と係止孔１４の係止力を大きくできる。
【００４２】
【発明の効果】
以上説明したように、本発明のファイリング用具によれば、帯状リング部材の片端部に設けられた比較的大きな係止孔に、帯状リング部材の先端部分を挿入し、この先端部分に設けられた係止手段を係止孔に係止するだけでファイリングできるので、ファイリング作業が容易になると共に、取り外しも容易になる。
【００４３】
また、帯状リング部材は一体ものであり、シート類の貫通孔に挿入する部分に凹凸がないので、貫通孔に出し入れするときに引っかかるようなことがなくなる。
【００４４】
更に、帯状リング部材を一定以上の弾性を有する紙材、例えばバルカナイズド紙で形成した場合には、ファイリング用具を焼却することが可能であり、シート類を廃棄する場合にファイリング用具も一緒に廃棄できるので、取り外す手間を省くことができると共に、環境的にも有利になる。
【図面の簡単な説明】
【図１】本発明に係る第１実施形態のファイリング用具の開放状態を示す斜視図である。
【図２】本発明に係る第１実施形態のファイリング用具の連結部材を示す斜視図である。
【図３】本発明に係る第１実施形態のファイリング用具の係止方法を説明する図である。
【図４】本発明に係る第１実施形態のファイリング用具の係止方法を説明する図である。
【図５】本発明に係る第１実施形態のファイリング用具の係止方法を説明する図である。
【図６】本発明に係る第１実施形態のファイリング用具の係止状態を示す斜視図である。
【図７】本発明に係る第１実施形態のファイリング用具の別の実施例を示す斜視図である。
【図８】本発明に係る第１実施形態のファイリング用具の別の実施例を示す斜視図である。
【図９】本発明に係る第１実施形態のファイリング用具の凹溝を示す図である。
【図１０】本発明に係る第１実施形態のファイリング用具の突起を示す図である。
【図１１】本発明に係る第１実施形態のファイリング用具の係止孔及び凹溝を示す図である。
【図１２】本発明に係る第１実施形態のファイリング用具の別の実施例を示す斜視図である。
【図１３】本発明に係る第２実施形態のファイリング用具を示す斜視図である。
【図１４】本発明に係る第２実施形態のファイリング用具の連結部材及び帯状リング部材の形状を示す断面図である。
【図１５】本発明に係る第２実施形態のファイリング用具の別の実施例を示す図である。
【図１６】本発明に係る第３実施形態のファイリング用具を示す斜視図である。
【図１７】本発明に係る第３実施形態の舌片の係止状態を示す断面図である。
【図１８】従来例に係るファイリング用具を示す断面図である。
【図１９】従来例に係るファイリング用具の係止構造を示す断面図である。
【符号の説明】
１〜６  ファイリング用具
１０  シート類
１１  帯状リング部材
１２  貫通孔
１３，１６，１９，２０  連結部材
１４，５１  係止孔
１５  凹溝（係止手段）
１７  本（シート類）
１８  突起（係止手段）
２１  凹溝（係止孔）
５２  突起
５３  開口（係止手段）
６１  舌片（係止手段）
【図１】
0004443720.tif 000002
【図２】
0004443720.tif 000003
【図３】
0004443720.tif 000004
【図４】
0004443720.tif 000005
【図５】
0004443720.tif 000006
【図６】
0004443720.tif 000007
【図７】
0004443720.tif 000008
【図８】
0004443720.tif 000009
【図９】
0004443720.tif 000010
【図１０】
0004443720.tif 000011
【図１１】
0004443720.tif 000012
【図１２】
0004443720.tif 000013
【図１３】
0004443720.tif 000014
【図１４】
0004443720.tif 000015
【図１５】
0004443720.tif 000016
【図１６】
0004443720.tif 000017
【図１７】
0004443720.tif 000018
【図１８】
0004443720.tif 000019
【図１９】
0004443720.tif 000020